(57)【特許請求の範囲】
【請求項１】
壁パネルの表面に外装材が予め取り付けられた外装材付き壁パネルであって、
前記壁パネルの下端部外面には、該壁パネルの下端から下方に突出するようにして下耳部材が取り付けられており、この下耳部材の下端よりさらに突出するようにして、前記外装材が壁パネルに取り付けられており、前記壁パネルの下端面には構造材である上階側半胴差しが取り付けられており、前記下耳部材には、前記上階側半胴差しの下方の位置で、補強板が着脱自在に設けられており、この補強板の下端は前記外装材の下端よりも下方に突出していることを特徴とする外装材付き壁パネル。
【請求項２】
請求項１記載の外装材付き壁パネルが建物の上階に設置され、他の外装材付き壁パネルが建物の下階に設置される外装材付き壁パネルの設置構造であって、
前記外装材付き壁パネルの壁パネルと、他の外装材付き壁パネルの壁パネルとの間には、前記上階側半胴差しと、前記他の外装材付き壁パネルの壁パネルの上端面に取り付けられ、前記上階側半胴差しが固定された構造材である下階側半胴差しとが介在されており、前記外装材付き壁パネルの外装材の下端と、前記他の外装材付き壁パネルの外装材の上端とは、その間に僅かな隙間が設けられるか、もしくは当接されており、前記下耳部材は、前記補強板が取り外された状態で、上階側半胴差しに固定されていることを特徴とする外装材付き壁パネルの設置構造。
【請求項３】
請求項２記載の外装材付き壁パネルの設置構造において、
前記外装材付き壁パネルの表面には防水透湿シートが取り付けられており、この防水透湿シートは壁パネルの下端から下方に延出されて前記下耳部材の表面を覆うとともに前記外装材の下端まで設けられており、前記他の外装材付き壁パネルの表面には防水透湿シートがこの他の外装材付き壁パネルの外装材の上端から上方に延出させて取り付けられ、この延出部分は、前記下階側半胴差しに取り付けられており、前記外装材付き壁パネルと前記他の外装材付き壁パネルとの間には、固定部と水切部とからなる水切りが設けられ、前記固定部は、前記下階側半胴差しに前記防水透湿シート上から固定されており、前記水切部は、前記外装材付き壁パネルの外装材の下端と、他の外装材付き壁パネルの外装材の上端との間に介在するとともに、他の外装材付き壁パネルの壁パネルと外装材との隙間を覆っていることを特徴とする外装材付き壁パネルの設置構造。
【請求項４】
請求項２記載の外装材付き壁パネルの設置構造を得るための外装材付き壁パネルの設置方法であって、
前記外装材付き壁パネルを吊り下げて、他の外装材付き壁パネル上に設置するに際し、前記外装材付き壁パネルが、他の外装材付き壁パネルの直上で、該他の外装材付き壁パネルに対して略位置決めがなされたときに、前記補強板を外装材付き壁パネルから取り外し、その後、前記外装材付き壁パネルを吊り下ろして、外装材付き壁パネルの外装材の下端と、他の外装材付き壁パネルの外装材との上端との間に僅かな隙間を設けるか、もしくは当接するようにして、前記他の外装材付き壁パネル上に前記上階側半胴差しと下階側半胴差しを介して設置することを特徴とする外装材付き壁パネルの設置方法。
【請求項５】
請求項３記載の外装材付き壁パネルの設置構造を得るための外装材付き壁パネルの設置方法であって、
前記外装材付き壁パネルの壁パネルの表面に、予め、防水透湿シートを、壁パネルの下端から下方に延出させて前記下耳部材を覆うとともに外装材の下端まで取り付けておき、他の外装材付き壁パネルの壁パネルの表面にも予め、防水透湿シートを、この他の外装材付き壁パネルの外装材の上端から上方に延出させて、この延出部分を下階側半胴差しに取り付けておき、前記水切りの固定部を下階側半胴差しに固定するとともに水切部で他の外装材付き壁パネルの外装材と壁パネルとの隙間を覆い、前記外装材付き壁パネルを吊り下げて、他の外装材付き壁パネル上に設置するに際し、前記外装材付き壁パネルが、他の外装材付き壁パネルの直上で、該他の外装材付き壁パネルに対して略位置決めがなされたときに、前記補強板を外装材付き壁パネルから取り外し、その後、前記外装材付き壁パネルを吊り下ろして、外装材付き壁パネルの外装材の下端と、他の外装材付き壁パネルの外装材との上端との間に僅かな隙間を設けて前記水切部を介在させるとともに前記他の外装材付き壁パネル上に上階側半胴差しと下階側半胴差しを介して設置することを特徴とする外装材付き壁パネルの設置方法。
【発明の詳細な説明】
【０００１】
【発明の属する技術分野】
本発明は、壁パネルの表面に予め外装材が取り付けられた外装材付き壁パネルと、外装材付き壁パネルの設置構造および設置方法に関する。
【０００２】
【背景の技術】
近年、住宅の構築についてはその工業化が進み、例えば壁や床、屋根といった構成要素を予め工場にてパネル化しておき、施工現場でこれらのパネルを組み立てることにより住宅を構築するパネル工法が一部に採用されている。このようなパネル工法では、例えば、特開２００１−１５２５６６号公報に開示されるように、建物の構造壁となる壁パネルと、この壁パネルの外面側を覆うように設けられる防水透湿シートと、この防水透湿シート上から胴縁を介して壁パネルに取り付けられる外装材とから外装材付き壁パネルを構成し、この外装材付き壁パネルを現場へ搬送することで、現場での施工効率を大幅に向上している。
【０００３】
【発明が解決しようとする課題】
ところで前記公報において、建物の上階に設けられる外装材付き壁パネルには、該壁パネルの下端から下方に突出するように外装材が設けられており、この外装材の下端部が搬送時や吊り込み時に破損しないように、突出部が該外装材の下端よりさらに下方に突出するようにして壁パネルの下端部外面に設けられていた。下階に設けられる外装材付き壁パネルにおいては、外装材がその上端が該壁パネルの上端よりも下方に位置するように設けられていた。このため、上階に設けられる外装材付き壁パネルの外装材の下端部と、下階に設けられる外装材付き壁パネルの外装材の上端部との間に隙間が生じることとなり、さらに、上階に設けられる外装材付き壁パネルと下階に設けられる外装材付き壁パネルの間には胴差しや床パネルが介在することから、その隙間はさらに大きなものとなり、建物の外観を秀麗に仕上げるためには幕板をその隙間に設けなければならなかった。
しかし、幕板は外装材と同質材や塩化ビニル鋼板等で形成されており、このように大きな隙間を覆うものであることから、幕板の製作や搬送にかかるコストは比較的大きなものとなり、現場で取り付ける作業も手間のかかるものとなっていた。
本発明の課題は、上下に設置される外装材付き壁パネルの間に幕板を設けなくともその外観を秀麗に仕上げることができ、よってコストを削減するとともに、現場での施工効率を向上することのできる外装材付き壁パネル、外装材付き壁パネルの設置構造、および設置方法を提供することである。
【０００４】
【課題を解決するための手段】
上記課題を解決するために、請求項１記載の発明は、例えば図１〜図３に示すように、壁パネル１０の表面に外装材１１が予め取り付けられた外装材付き壁パネル１であって、前記壁パネル１０の下端部外面には、該壁パネル１０の下端から下方に突出するようにして下耳部材１２が取り付けられており、この下耳部材１２の下端よりさらに突出するようにして、前記外装材１１が壁パネル１０に取り付けられており、前記壁パネル１０の下端面には構造材３である上階側半胴差し３ａが取り付けられており、前記下耳部材１２には、前記上階側半胴差し３ａの下方の位置で、補強板１３が着脱自在に設けられており、この補強板１３の下端は前記外装材１１の下端１１ａよりも下方に突出していることを特徴とする。
【０００５】
ここで、外装材１１は壁パネル１０の表面に胴縁１４（図３参照）を介して取り付けられることが考えられ、前記下耳部材は外装材１１の幅とその幅が等しく形成された帯板状の合板などが考えられる。また、下耳部材１２の厚みは胴縁１４の厚みとほぼ等しく形成されるか、それ以下であることが望ましい。
また、前記補強板１３は外装材１１の幅と等しく形成された帯板状の合板などが考えられるが、下耳部材１２の下端よりもさらに下方に突出して設けられた外装材１１の下端１１ａ部が搬送時や吊り込み時などに破損しないように保護できるようになっていればどのようなものであってもよい。
【０００６】
請求項１記載の発明によれば、前記外装材付き壁パネル１は、外装材１１が前記下耳部材１２の下端よりも下方に突出するように壁パネル１０に取り付けられており、下耳部材１２に取り付けられた補強板１３の下端は外装材１１の下端１１ａよりも下方に突出しているので、搬送時や吊り込み時に壁パネル１０の下端より下方に長く突出した外装材１１の下端部を保護し、外装材１１が破損するのを防ぐことができる。従って、前記外装材付き壁パネル１を建物の上階に設置する際に、前記外装材１１を壁パネル１０の下端から幕板の上下幅分、つまり、上階と下階の間に介在する構造材３の厚み分だけ下方に突出させて、下階の壁パネル２０に取り付けられる外装材２１の上端２１ｂと前記外装材付き壁パネル１の外装材１１の下端１１ａとをその隙間を僅少なものとしたり、当接させるものとすることができる。
また、前記補強板１３は着脱自在に取り付けられているので、この外装材付き壁パネル１を所定の位置に設置する際には取り外すことができ、前記外装材付き壁パネル１を設置する際に邪魔になることがない。また、外装材１１の下端１１ａは下耳部材の下端１１ａよりも突出するように設けられているので下耳部材１２が建物の外側に露出することがないのも勿論である。
【０００７】
これらのことより、この外装材付き壁パネル１を建物の上階に設置する際には、建物の上階に設けられる外装材１１の下端１１ａと建物の下階に設けられる外装材２１の上端２１ｂとの隙間を僅少なものとするか、全くないものとすることができ、幕板を設けなくとも、建物の外壁を秀麗に仕上げることができる。また、幕板を設けなくともよいので、幕板の製作にかかるコストや搬送にかかるコスト分のコストダウンをはかることができ、さらに現場での施工効率が大幅に向上する。
【０００８】
請求項２記載の発明は、例えば図３に示すように、請求項１記載の外装材付き壁パネル１が建物の上階に設置され、他の外装材付き壁パネル２が建物の下階に設置される外装材付き壁パネルの設置構造であって、前記外装材付き壁パネル１の壁パネル１０と、他の外装材付き壁パネル２の壁パネル２０との間には、前記上階側半胴差し３ａと、前記他の外装材付き壁パネル２の壁パネル２０の上端面に取り付けられ、前記上階側半胴差し３ａが固定された構造材である下階側半胴差し３ｂとが介在されており、前記外装材付き壁パネル１の外装材１１の下端１１ａと、前記他の外装材付き壁パネル２の外装材２１の上端２１ｂとは、その間に僅かな隙間が設けられるか、もしくは当接されており、前記下耳部材１２は、前記補強板１３が取り外された状態で、上階側半胴差し３ａに固定されていることを特徴とする。
【０００９】
請求項２記載の発明によれば、前記外装材付き壁パネル１が建物の上階に設置され、他の外装材付き壁パネル２が建物の下階に設置されており、前記外装材付き壁パネル１の外装材１１の下端１１ａと、他の外装材付き壁パネル２の外装材２１の上端２１ｂとは、その間に僅かな隙間が設けられるか、もしくは当接されているので、上階に設けられる外装材１１と、下階に設けられる外装材２１との間に幕板を設けなくとも、建物の外壁を秀麗に仕上げることができる。また、幕板を設けなくてよいので、幕板の製作や搬送にかかるコストを削減することができ、取り付ける手間を省力することができる。
また、前記下耳部材１２は、前記補強板１３が取り外された状態で構造材３ａに固定されているので、外装材付き壁パネル１を構造材３ａに取り付ける際に補強板１３が邪魔になることがない。また、他の外装材付き壁パネル２の外装材２１の上端２１ａや壁パネル２０の上端に当接することもないので、前記外装材付き壁パネル１の外装材１１の下端１１ａと他の外装材付き壁パネル２の外装材２１の上端２１ｂとの間を僅かな隙間としたり、当接させたりすることができる。
【００１０】
請求項３記載の発明は、例えば図１〜図３に示すように、請求項２記載の外装材付き壁パネルの設置構造において、前記外装材付き壁パネル１の表面には防水透湿シート１５が取り付けられており、この防水透湿シート１５は壁パネル１０の下端から下方に延出されて前記下耳部材１２の表面を覆うとともに前記外装材１１の下端１１ａまで設けられており、図１および図２に示すように、前記他の外装材付き壁パネル２の表面には防水透湿シート２５がこの他の外装材付き壁パネル２の外装材２１の上端２１ｂから上方に延出させて取り付けられ、この延出部分２５ａは、前記下階側半胴差し３ｂに取り付けられており、前記外装材付き壁パネル１と前記他の外装材付き壁パネル２との間には、固定部４１と水切部４２とからなる水切り４が設けられ、前記固定部４１は、前記下階側半胴差し３ｂに前記防水透湿シート２５ａ上から固定されており、前記水切部４２は、前記外装材付き壁パネル１の外装材１１の下端１１ａと、他の外装材付き壁パネル２の外装材２１の上端２１ｂとの間に介在するとともに、他の外装材付き壁パネル２の壁パネル２０と外装材２１との隙間を覆っていることを特徴とする。
【００１１】
請求項３記載の発明によれば、他の外装材付き壁パネル２の表面に取り付けられた防水透湿シート２５は該外装材２１の上端２１ｂから上方に延出され、該延出部分２５ａは前記構造材３ｂに取り付けられている。この構造材３ｂには、前記防水透湿シート２５ａ上から前記水切り４の固定部４１が取り付けられており、水切り４の水切部４２は他の外装材付き壁パネル２の壁パネル２０と外装材２１との隙間を覆っている。一方、前記外装材付き壁パネル１の壁パネル１０には、防水透湿シート１５が壁パネル１０の下端から下方に延出されて、前記下耳部材１２の表面を覆うとともに前記外装材１１の下端１１ａまで設けられているので、この外装材付き壁パネル１を前記他の外装材付き壁パネル２上に構造材３等を介して設置すれば、前記外装材付き壁パネル１と他の外装材付き壁パネル２との間の水仕舞いが完了する。したがって、現場での施工効率を大幅に向上することができる。
また、このように上階の外装材付き壁パネル１を設置した後には水仕舞いをする必要がない。このため、上階の外装材付き壁パネル１の設置前に前記防水透湿シート２５の延出部分２５ａや水切り４を現場で構造材３ｂに取り付けるものとしても、工場等で予め取り付けるものとしてもどちらでも構わない。従って、例えば、図２に示すように、工場で予め構造材３ｂに前記防水透湿シート２５の延出部分２５ａを取り付け、さらに水切り４を取り付けておくものとすれば、現場では所定の位置にそれぞれの外装材付き壁パネル１、２を設置するだけでよく、それぞれの外装材付き壁パネル１、２間の防水処理を行ったり、幕板を設けたりといった手間が一切無く、極めて施工が容易になる。
【００１２】
請求項４記載の発明は、請求項２記載の外装材付き壁パネルの設置構造を得るための外装材付き壁パネルの設置方法であって、例えば、図２に示すように前記外装材付き壁パネル１を吊り下げて、他の外装材付き壁パネル２上に設置するに際し、前記外装材付き壁パネル１が、他の外装材付き壁パネル２の直上で、該他の外装材付き壁パネル２に対して略位置決めがなされたときに、前記補強板１３を外装材付き壁パネル１から取り外し、その後、前記外装材付き壁パネル１を吊り下ろして、外装材付き壁パネル１の外装材１１の下端１１ａと、他の外装材付き壁パネル２の外装材２１の上端２１ｂとの間に僅かな隙間を設けるか、もしくは当接するようにして、前記他の外装材付き壁パネル２上に上階側半胴差し３ａと下階側半胴差し３ｂを介して設置することを特徴とする。
【００１３】
請求項４記載の発明によれば、前記外装材付き壁パネル１が他の外装材付き壁パネル２の直上で、該他の外装材付き壁パネル２に略位置決めがなされたときに、前記補強板１３を外装材付き壁パネル１から取り外すので、該外装材付き壁パネル１の搬送時や吊り込み時には前記補強板１３が前記外装材１１の下端１１ａ部を保護してその破損を防ぐことができる。また、前記外装材付き壁パネル１を他の外装材付き壁パネル２上に構造材３を介して設置する際には、補強板１３が取り外されているので、該補強板１３が外装材付き壁パネル１の設置の際に邪魔になることがない。
また、外装材付き壁パネル１の外装材１１の下端１１ａと、他の外装材付き壁パネル２の外装材２１の上端２１ｂとの間に僅かな隙間を設けるか、もしくは当接するようにして、前記外装材付き壁パネル１を他の外装材付き壁パネル２上に構造材３を介して設置しているので、前記外装材付き壁パネル１の外装材１１の下端１１ａと、他の外装材付き壁パネル２の外装材２１の上端２１ｂとの間にはその隙間を埋めるための幕板を設ける必要がない。したがって、幕板の製作や搬送にかかるコストを削減することができるとともに、現場で幕板を取り付ける手間を省力することができる。
【００１４】
請求項５記載の発明は、請求項３記載の外装材付き壁パネルの設置構造を得るための外装材付き壁パネルの設置方法であって、例えば図１〜図３に示すように、前記外装材付き壁パネル１の壁パネル１０の表面に、予め、防水透湿シート１５を、壁パネル１０の下端から下方に延出させて前記下耳部材１２を覆うとともに外装材１１の下端１１ａまで取り付けておき、他の外装材付き壁パネル２の壁パネル２０の表面にも予め、防水透湿シート２５を、この他の外装材付き壁パネル２の外装材２１の上端２１ｂから上方に延出させて、この延出部分２５ａを下階側半胴差し３ｂに取り付けておき、前記水切り４の固定部４１を下階側半胴差し３ｂに固定するとともに水切部４２で他の外装材付き壁パネル２の外装材２１と壁パネル２０との隙間を覆い、前記外装材付き壁パネル１を吊り下げて、他の外装材付き壁パネル２上に設置するに際し、例えば図２に示すように、前記外装材付き壁パネル１が、他の外装材付き壁パネル２の直上で、該他の外装材付き壁パネル２に対して略位置決めがなされたときに、前記補強板１３を外装材付き壁パネル１から取り外し、その後、前記外装材付き壁パネル１を吊り下ろして、外装材付き壁パネル１の外装材１１の下端１１ａと、他の外装材付き壁パネル２の外装材２１との上端２１ｂとの間に僅かな隙間を設けて前記水切部４２を介在させるとともに前記他の外装材付き壁パネル２上に上階側半胴差し３ａと下階側半胴差し３ｂを介して設置することを特徴とする。
【００１５】
請求項５記載の発明によれば、他の外装材付き壁パネル２の表面に取り付けられた防水透湿シート２５は該外装材２１の上端２１ｂから上方に延出され、該延出部分２５ａは前記構造材３に取り付けられている。そして、この構造材３ｂには、前記防水透湿シート２５上から前記水切り４の固定部４１が取り付けられており、水切り４の水切部４２は他の外装材付き壁パネル２の壁パネル２０と外装材２１との隙間を覆っている。そして、前記外装材付き壁パネル１の壁パネル１０には、防水透湿シート１５が壁パネル１０の下端から下方に延出されて、前記下耳部材１２の表面を覆うとともに前記外装材１１の下端１１ａまで設けられている。したがって、補強板１３を取り外した後、この外装材付き壁パネル１を建物の上階に設置すれば、前記外装材付き壁パネル１の外装材１１の下端１１ａと他の外装材付き壁パネル２の外装材２１の上端２１ｂとの間に前記水切り４の水切部４２が介在され、水仕舞いが完了することになる。したがって、現場での施工効率を大幅に向上することができる。
【００１６】
また、このように上階の外装材付き壁パネル１を設置した後には水仕舞いは必要がないので、上階の外装材付き壁パネル１の設置前に他の外装材付き壁パネル２の防水透湿シート２５の延出部分２５ａや水切り４を現場で構造材３ｂに取り付けるものとしても、工場等で予め取り付けるものとしてもよい。このため、例えば、工場で予め構造材３ｂに前記延出部分２５ａを取り付け、さらに水切り４を取り付けておくものとすれば、現場では所定の位置にそれぞれの外装材付き壁パネル１、２を設置すればよく、それぞれの外装材付き壁パネル１、２間の防水処理を行ったり、幕板を設けたりといった手間が一切無く、極めて施工が容易になる。
【００１７】
【発明の実施の形態】
以下、図面を参照して、本発明の外装材付き壁パネル１、外装材付き壁パネルの設置構造、および設置方法について、その実施の形態を詳細に説明する。
本実施の形態において、図１〜図３に示す外装材付き壁パネル１は、パネル工法により構築される２階建て住宅の２階の外壁として設けられるものである。パネル工法とは、壁や床、屋根などの構成要素を予め工場でパネルとして製作しておき、住宅の施工現場でパネルを組み合わせて、パネルどうしを接着材とボルトまたは釘によって接合する住宅の施工方法で、建築現場での施工作業を省力化することのできる利点がある。また、それぞれのパネルは、縦横の框材を矩形状に組み立てるとともに、矩形枠の内部に補助棧材を縦横に組み付けて枠体を構成し、この枠体の両面もしくは片面に、面材を貼設したものである。
【００１８】
本発明の外装材付き壁パネル１は、図１に示すように、構造壁となる壁パネル１０の表面に外装材１１が防水透湿シート１５と胴縁１４（図３参照）を介して取り付けられている。壁パネル１０の下端部外面には、該壁パネル１０の下端から下方に突出するようにして下耳部材１２が設けられている。前記下耳部材１２は壁パネル１０の下端部と外装材１１の下端部との間に介在されており、外装材１１は、前記下耳部材１２の下端より下方に突出するように設けられている。また、外装材１１と下耳部材１２との間には後述する水抜きパッキン１８が設けられている。また、前記外装材１１と前記下耳部材１２とは、構造材３である半胴差し３ａに固定されている。半胴差し３ａとは、胴差しの上下幅を半分にしたもので、このように２階に設けられる外装材付き壁パネル１の壁パネル１０の下端面に取り付けられる上階側半胴差し３ａと、１階に設けられる他の外装材付き壁パネル２の壁パネル２０の上端に取り付けられる下階側半胴差し３ｂとが組み合わされることによって、構造材３としての機能を果たすものであり、予め外装材付き壁パネル１の壁パネル１０の下端面に取り付けられている。
【００１９】
前記水抜きパッキン１８は、外装材１１の下端部と壁パネル１０の下端部との間に下耳部材１２が介在することによって、下耳部材１２上に水が溜まるのを防ぐために設けられるものであり、弾性を有する合成樹脂が帯板状に形成されてなるものである。水抜きパッキン１８には、図示しない複数の排水孔が備えられている。この排水孔は、壁パネル１０の表面に沿って上下に延在する板体と、該表面に直交する方向に沿って上下に延在する板体とが格子状に配置されることによって形成されており、前記排水孔から、外装材１１と下耳部材１２との間に水が溜まらないように排水させることができ、また排水孔から通風することができるため外装材１１と壁パネル１０間に湿気が溜まらないようにしている。
【００２０】
前記下耳部材１２は、その左右の幅が壁パネル１０の表面に取り付けられる外装材１１の左右間の幅と等しく形成された帯板状の合板からなり、その厚みは胴縁１４（図３参照）の厚みと略等しく形成されている。
また、補強板１３は外装材１１の左右の幅とその左右の幅とが等しく形成された帯板状の合板からなり、壁パネル１０に取り付けられた上階側半胴差し３ａの下方の位置で、前記下耳部材１２にビス６１にて着脱自在に取り付けられている。
【００２１】
前記防水透湿シート１５は、壁パネル１０の表面に、該壁パネル１０の下端から下方に延出されて前記下耳部材１２の表面を覆うとともに前記外装材１１の下端１１ａよりさらに延出されて設けられている。図１および図２に示すように、外装材１１の下端１１ａより延出された防水透湿シート１５は、折り曲げられて外装材１１の表面側に仮止め可能にされている。以上によって、本実施の形態の外装材付き壁パネル１が構成されている。
【００２２】
次に、上記構成による外装材付き壁パネル１を住宅の２階に設置し、住宅の１階には他の外装材付き壁パネル２を設置する本実施の形態の外装材付き壁パネルの設置構造（図３参照）を説明する。
まず、前記他の外装材付き壁パネル２について説明する。図１〜３に示すように他の外装材付き壁パネル２は、前記外装材付き壁パネル１と同様に、住宅の１階の構造壁となる壁パネル２０の表面に防水透湿シート２５と胴縁２４を介して外装材１１が取り付けられているものである。
前記外装材２１は、その上端２１ｂを壁パネル２０の上端２１ｂとほぼ位置を等しく揃えられて壁パネル２０に取り付けられている。また、この壁パネル２０の上端面には、下階側半胴差し３ｂが取り付けられている。下階側半胴差し３ｂは上述したように、上階の外装材付き壁パネル１に取り付けられる上階側半胴差し３ａとこの下階側半胴差し３ｂとによって、構造材３として機能するものである。
また、防水透湿シート２５は該壁パネル２０の表面を覆うとともに、この他の外装材付き壁パネル２の外装材２１の上端２１ｂから上方に延出されている。この防水透湿シート２５の延出部分２５ａは、前記下階側半胴差し３ｂの表面に貼設されて、該防水透湿シート２５の上端は下階側半胴差し３ｂの上端に防水テープ２８で留められて止水されている。
【００２３】
また、下階側半胴差し３ｂには防水透湿シート２５の延出部分２５ａを介して水切り４が取り付けられている。水切り４は固定部４１と水切部４２とからなるもので、固定部４１は前記半胴差し３の下端部に防湿透水シート２５の延出部分２５ａ上から固定されており、固定部４１の下端は下階側半胴差し３ｂの下端とほぼ等しい位置に揃えられている。水切部４２は、建物の２階に設置される前記外装材付き壁パネル１の外装材１１の下端１１ａと、他の外装材付き壁パネル２の外装材２１の上端２１ｂとの間に介在するとともに、他の外装材付き壁パネル２の壁パネル２０と外装材２１との隙間を覆うものである。
上記構成よりなる他の外装材付き壁パネル２が現場に搬入されて、建物の１階の所定の位置に設置されるとともに、２階の床面を構成する床パネル５の端面に前記下階側半胴差し３ｂが接着材等により固定され、壁パネル１０の上端面の一部は、床パネル５の下端面に固定されている。
【００２４】
前記外装材付き壁パネル１はこの他の外装材付き壁パネル２の上に前記上階側半胴差し３ａ、下階側半胴差し３ｂ、床パネル５を介して設置されている。前記外装材付き壁パネル１に設けられた上階側半胴差し３ａは、前記下階側半胴差し３ｂに固定されるとともに、前記床パネル５に予め固定されている。また、前記外装材付き壁パネル１の壁パネル１０の下端面の一部は、床パネル５の上端面に固定されている。さらに、前記補強板１３は取り外された状態で、前記下耳部材１２の下端部は下階側半胴差し３ｂに固定されている。
前記外装材付き壁パネル１の外装材１１の下端１１ａは、前記床パネル５の厚み分だけ壁パネル１０の下端より下方に突出しており、他の外装材付き壁パネル２の外装材２１の上端２１ｂとの間に僅かな隙間が設けられて、設置されている。この隙間から、下階側半胴差し３ｂに取り付けられた水切り４の水切部４２が他の外装材付き壁パネル２の壁パネル２０と外装材２１との隙間を覆うように他の外装材付き壁パネル２の外装材２１側へ突出している。
そして、２階の外装材付き壁パネル１の横框材１９と１階の外装材付き壁パネル２の横框材２９、とは、図示しない胴差しボルト等により固定されている。
【００２５】
次に上記構成を持つ外装材付き壁パネルの設置構造を得るための、設置方法について説明する。
まず、前記構成を備える他の外装材付き壁パネル２を基礎に取付けて、この外装材付き壁パネル２の壁パネル２０の上端面に接着剤を塗布し、床パネル５の端部に取付けるとともに、前記壁パネル２０に取り付けられた下階側半胴差し３ｂを床パネル５の端部に取り付けておく。また、前記外装材付き壁パネル１については、予め取り付けられている上階側半胴差し３ａの下端面と、壁パネル１０の下端面とに接着剤を塗布しておく。また、防水透湿シート１５は、外装材１１の表側に仮止めしておく。
【００２６】
そして、前記外装材付き壁パネル１を吊り下げて、前記外装材付き壁パネル１が、他の外装材付き壁パネル２の直上で、該他の外装材付き壁パネル２に対して略位置決めがなされたときに、前記補強板１３を外装材付き壁パネル１から取り外す。
その後、前記外装材付き壁パネル１を吊り下ろして、外装材付き壁パネル１の外装材１１の下端１１ａと、他の外装材付き壁パネル２の外装材２１との上端２１ｂとの間に僅かな隙間を設けて前記水切部４２を介在させるとともに前記他の外装材付き壁パネル２上に前記上階側半胴差し３ａ、下階側半胴差し３ｂ、および床パネル５を介して設置する。
最後に、外装材付き壁パネル１の外装材１１の下端１１ａより延出されて、外装材１１の表側に仮止めされていた防水透湿シート１５を外装材１１の下端１１ａに揃えてカットする。
以上の手順によって、本実施の形態の外装材付き壁パネルの設置構造が得られる。
【００２７】
本実施の形態の外装材付き壁パネル１によれば、外装材１１が前記下耳部材１２の下端よりも下方に突出するように壁パネル１０に取り付けられており、下耳部材１２に取り付けられた補強板１３の下端は外装材１１の下端１１ａよりも下方に突出しているので、搬送時や吊り込み時に壁パネル１０の下端より下方に長く突出した外装材１１を保護し、外装材１１が破損するのを防ぐことができる。また、前記外装材１１は構造材３（上階側半胴差し３ａおよび下階側半胴差し３ｂ）の厚み分だけ下方に突出されているので、下階の壁パネル２０に取り付けられる外装材２１の上端２１ｂと前記外装材付き壁パネル１の外装材１１の下端１１ａとをその隙間を僅少なものとすることができる。
また、前記補強板１３はビス６１によって着脱自在に取り付けられているので、この外装材付き壁パネル１を所定の位置に設置する際には取り外すことができ、よって、補強板１３が外装材付き壁パネル１を設置する際に邪魔になることがない。また、外装材１１の下端１１ａは下耳部材の下端１１ａよりも突出するように設けられているので下耳部材１２が建物の外側に露出することがない。
【００２８】
以上より、この外装材付き壁パネル１を住宅の２階に設置するにあたっては、２階に設けられる外装材１１の下端１１ａと１階に設けられる外装材２１の上端２１ｂとの隙間を僅少なものとすることができ、幕板を設けなくとも、建物の外壁を秀麗に仕上げることができる。また、幕板を設けなくともよいので、幕板の製作にかかるコストや搬送にかかるコスト分のコストダウンをはかることができ、現場での施工効率も大幅に向上する。
【００２９】
また、本実施の形態の外装材付き壁パネルの設置構造によれば、住宅の２階に設置される前記外装材付き壁パネル１の外装材１１の下端１１ａと、住宅の１階に設置される他の外装材付き壁パネル２の外装材２１の上端２１ｂとは、その間に僅かな隙間が設けられており、その間には水切り４の水切部４２が介在している。このため、２階に設けられる外装材１１と、１階に設けられる外装材２１との間に幕板を設けなくとも、建物の外壁を秀麗に仕上げることができる。また、幕板を設けなくてよいので、幕板の製作や搬送にかかるコストを削減することができ、取り付ける手間を省力することができる。
【００３０】
また、前記下耳部材１２は、前記補強板１３が取り外された状態で上階側半胴差し３ａに固定されているので、外装材付き壁パネル１を設置する際に補強板１３が邪魔になることがない。また、他の外装材付き壁パネル２の外装材２１や壁パネル２０の上端に当接することもないので、前記外装材付き壁パネル１の外装材１１の下端１１ａと他の外装材付き壁パネル２の外装材２１の上端２１ｂとの間を僅かな隙間としたり、当接させたりすることができる。
【００３１】
また、他の外装材付き壁パネル２の壁パネル２０の上端には予め下階側半胴差し３ｂが取り付けられており、壁パネル２０の表面に取り付けられた防水透湿シート２５は該外装材２１の上端２１ｂから上方に延出されて、この下階側半胴差し３ｂに取り付けられている。また、下階側半胴差し３ｂには、前記防水透湿シート２５の延出部分２５の上から前記水切り４の固定部４１が取り付けられており、水切り４の水切部４２は他の外装材付き壁パネル２の壁パネル２０と外装材２１との隙間を覆っている。一方、前記外装材付き壁パネル１の壁パネル１０には、防水透湿シート１５が壁パネル１０の下端から下方に延出されて、前記下耳部材１２の表面を覆うとともに前記外装材１１の下端１１ａまで設けられているので、この外装材付き壁パネル１を前記他の外装材付き壁パネル２の上に前記半胴差し３ａ、３ｂおよび床パネル５を介して設置すれば、前記外装材付き壁パネル１と他の外装材付き壁パネル２との間の水仕舞いが完了する。したがって、現場での施工効率を大幅に向上することができる。
【００３２】
また、このように、他の外装材付き壁パネル２には、工場で予め下階側半胴差し３ｂが取り付けられ、この下階側半胴差し３ｂには防水透湿シート２５の延出部分２５ａが取り付けられており、また、前記外装材付き壁パネル１には予め上階側半胴差し３ａを取り付けておくものとするので、現場では所定の位置にそれぞれの外装材付き壁パネル１、２を設置するだけでよく、それぞれの外装材付き壁パネル１、２間の防水処理を行ったり、幕板を設けたりといった手間が一切無く、極めて施工が容易になる。
【００３３】
本実施の形態の外装材付き壁パネルの設置方法によれば、前記外装材付き壁パネル１が他の外装材付き壁パネル２の直上で、該他の外装材付き壁パネル２に略位置決めがなされたときに、前記補強板１３を外装材付き壁パネル１から取り外すので、該外装材付き壁パネル１の搬送時や吊り込み時には前記補強板１３が前記外装材１１の下端１１ａ部を保護してその破損を防ぐことができる。また、前記外装材付き壁パネル１を他の外装材付き壁パネル２上に設置する際には、補強板１３が取り外されているので、該補強板１３が外装材付き壁パネル１の設置の際に邪魔になることがない。
【００３４】
また、本実施の形態においては、住宅の１階に設けられる他の外装材付き壁パネル２には、予め壁パネル２０の上端に下階側半胴差し３ｂが取り付けられ、壁パネル２０およびこの下階側半胴差し３ｂの表面に防水透湿シート２５の延出部分２５ａが取り付けられ、さらに前記下階側半胴差し３ｂに水切り４が取り付けられた他の外装材付き壁パネル２を設置するものとし、住宅の２階には、防水透湿シート１５が外装材１１の下端１１ａを覆い、壁パネル１０の下端部には予め上階側半胴差し３ａが取り付けられた前記外装材付き壁パネル１を設置しているので、補強板１３を取り外した後、この外装材付き壁パネル１を建物の上階に設置すれば、前記外装材付き壁パネル１の外装材１１の下端１１ａと他の外装材付き壁パネル２の外装材２１の上端２１ｂとの間に前記水切り４の水切部４２が介在され、水仕舞いが完了するので、現場での施工効率を大幅に向上することができる。
【００３５】
なお、本発明は上記実施の形態に限定されるものではなく、本発明の主旨を逸脱しない範囲において適宜変更可能であることは勿論である。
本実施の形態では、構造材３として上階側半胴差し３ａと下階側半胴差し３ｂとを用いるものとしたがこれに限定されるものではなく、通常の胴差しを用いてもよい。また、この半胴差し３ａ、３ｂをそれぞれ外装材付き壁パネル１、２に取り付けておくものとしたが、現場で取り付けてもよい。
また、住宅の１階に設置する他の外装材付き壁パネル２において、前記防水透湿シート２５の延出部分２５ａを予め下階側半胴差し３ｂに取り付けるものとし、さらに水切り４を取り付けておくこととしたが、これに限定されるものではない。防水透湿シート２５が前記外装材２１の上端２１ｂより延出されて取り付けられていればそれでよく、現場でこの延出部分２５ａを構造材３に取り付け、さらに水切り４を取り付けるものとしてもよい。
また、補強板１３をビス６１により前記下耳部材１２に着脱自在に取り付けるものとしたが、これに限定するものではなく、補強板１３が着脱自在に取り付けられていればどのようにして下耳部材１２に取り付けられていてもよい。
【００３６】
また、本実施の形態においては、前記外装材付き壁パネル１を住宅の２階に設置するものとし、他の外装材付き壁パネル２を住宅の１階に設置するものとしたが、これに限定されるものではないのは勿論である。前記外装材付き壁パネル１を建物の上階に設置し、他の外装材付き壁パネル２がその下階に設置されれば、それでよい。
また、前記外装材付き壁パネル１に防水透湿シート１５を前記外装材１１の下端１１ａより延出させて取り付けておき、この外装材付き壁パネル１を住宅の２階に設置後に、延出部分をカットするものとしたが、予め、外装材１１の下端１１ａの位置に防水透湿シート１５の下端１１ａを揃えておいてもよい。この場合には、防水透湿シート１５の下端１１ａを外装材１１の下端１１ａにテープ等で容易に着脱できるように仮止めしておくと、前記外装材付き壁パネル１を他の外装材付き壁パネル２上に構造材３を介して設置する際に、防水透湿シート１５が撚れることなく設置することができる。
【００３７】
【発明の効果】
請求項１記載の発明によれば、補強板は、外装材の下端よりも下方に突出しているので、搬送時や吊り込み時に壁パネルの下端より下方に長く突出した外装材を保護し、外装材が破損するのを防ぐことができる。このため、前記外装材付き壁パネルを建物の上階に設置する際に、前記外装材を壁パネルの下端から幕板の上下幅分、つまり、上階と下階の間に介在する構造材の厚み分だけ下方に突出させることができる。また、前記補強板は着脱自在に取り付けられているので、この外装材付き壁パネルを所定の位置に設置する際には取り外すことができ、よって、補強板が外装材付き壁パネルを設置する際に邪魔になることがない。
従って、この外装材付き壁パネルを建物の上階に設置する際には、建物の上階に設けられる外装材の下端と建物の下階に設けられる外装材の上端ととの隙間を僅少なものとするか、全くないものとすることができ、幕板を設けなくとも、建物の外壁を秀麗に仕上げることができる。また、幕板を設けなくともよいので、幕板の製作にかかるコストや搬送にかかるコスト分のコストダウンをはかることができ、さらに現場での施工効率も大幅に向上する。
【００３８】
請求項２記載の発明によれば、建物の上階に設けられる前記外装材付き壁パネルの外装材の下端と、下階に設けられる他の外装材付き壁パネルの外装材の上端とは、その間に僅かな隙間が設けられるか、もしくは当接されているので、その間に幕板を設けなくとも、建物の外壁を秀麗に仕上げることができる。また、幕板を設けなくてよいので、幕板の製作や搬送にかかるコストを削減することができ、取り付ける手間を省力することができる。
また、前記下耳部材は、前記補強板が取り外された状態で構造材に固定されているので、上階に外装材付き壁パネルを設置する際に補強板が邪魔になることがない。また、他の外装材付き壁パネルの外装材や壁パネルの上端に当接することもないので、前記外装材付き壁パネルの外装材の下端と他の外装材付き壁パネルの上端との間を僅かな隙間としたり、当接させたりすることができる。
【００３９】
請求項３記載の発明によれば、請求項２と同様の効果が得られるのは勿論のこと、他の外装材付き壁パネルの表面に取り付けられた防水透湿シートの延出部分は前記構造材に取り付けられており、この構造材には、前記防水透湿シート上から水切りの固定部が取り付けられている。また、水切りの水切部は他の外装材付き壁パネルの壁パネルと外装材との隙間を覆っている。また、前記外装材付き壁パネルの壁パネルには、防水透湿シートが壁パネルの下端から下方に延出されて、前記下耳部材の表面を覆うとともに前記外装材の下端まで設けられているので、この外装材付き壁パネルを他の外装材付き壁パネル上に構造材を介して設置すれば、前記外装材付き壁パネルと他の外装材付き壁パネルとの間の水仕舞いが完了する。したがって、現場での施工効率を大幅に向上することができる。
また、このように上階の外装材付き壁パネルを設置した後には水仕舞いをする必要がない。したがって、上階の外装材付き壁パネルの設置前に前記防水透湿シートの延出部や水切りを現場で構造材に取り付けるものとしても、工場等で予め取り付けるものとしてもよく、工場等で予め水切りを取り付けておくものとすれば、現場での作業効率がさらに向上する。
【００４０】
請求項４記載の発明によれば、前記外装材付き壁パネルが他の外装材付き壁パネルの直上で、該他の外装材付き壁パネルに略位置決めがなされたときに、前記補強板を外装材付き壁パネルから取り外すので、該外装材付き壁パネルの搬送時や吊り込み時には前記補強板が前記外装材の下端部を保護してその破損を防ぎ、前記外装材付き壁パネルを他の外装材付き壁パネル上に構造材を介して設置する際には、該補強板が外装材付き壁パネルの設置の際に邪魔になることがない。
また、外装材付き壁パネルの外装材の下端と、他の外装材付き壁パネルの外装材の上端との間に僅かな隙間を設けるか、もしくは当接するようにして、前記外装材付き壁パネルが設置されているので、前記外装材付き壁パネルの外装材の下端と、他の外装材付き壁パネルの外装材の上端との間に、その隙間を埋めるための幕板を設ける必要がない。したがって、幕板の製作や搬送にかかるコストを削減することができるとともに、現場で幕板を取り付ける手間を省力することができる。
【００４１】
請求項５記載の発明によれば、請求項４と同様の効果が得られるのは勿論のこと、他の外装材付き壁パネルの表面に取り付けられた防水透湿シートの延出部分は前記構造材に取り付けられている。そして、この構造材には、前記防水透湿シート上から前記水切りの固定部が取り付けられており、水切りの水切部は他の外装材付き壁パネルの壁パネルと外装材との隙間を覆っている。また、前記外装材付き壁パネルの壁パネルには、防水透湿シートが壁パネルの下端から下方に延出されて、前記下耳部材の表面を覆うとともに前記外装材の下端まで設けられている。したがって、補強板を取り外した後、この外装材付き壁パネルを建物の上階に設置すれば、前記外装材付き壁パネルの外装材の下端と他の外装材付き壁パネルの外装材の上端との間に前記水切りの水切部が介在され、かつ、水仕舞いが完了することになる。したがって、現場での施工効率を大幅に向上することができる。
【００４２】
また、このように上階の外装材付き壁パネルを設置した後には水仕舞いは必要がない。このため、上階の外装材付き壁パネルの設置前に前記防水透湿シートの延出部や水切りを工場等で予め取り付けるものとしても現場での作業には何等影響を与えない。従って、工場で予め構造材に前記延出部を取り付け、さらに水切りを取り付けておくものとすることで、現場での作業がさらに容易になる。
【図面の簡単な説明】
【図１】本発明の一例を示す外装材付き壁パネルと、他の外装材付き壁パネルを示した断面図である。
【図２】本発明の一例の外装材付き壁パネルの設置方法において、補強板が取り外された状態を示した断面図である。
【図３】本発明の一例の外装材付き壁パネルの設置構造を示した断面図である。
【符号の説明】
１    外装材付き壁パネル
１０  （外装材付き壁パネルの）壁パネル
１１  （外装材付き壁パネルの）外装材
１１ａ  （外装材付き壁パネルの外装材の）下端
１２  下耳部材
１３  補強板
１５  （外装材付き壁パネルの）防水透湿シート
２    他の外装材付き壁パネル
２０  （他の外装材付き壁パネルの）壁パネル
２１  （他の外装材付き壁パネルの）外装材
２１ｂ  （他の外装材付き壁パネルの外装材の）上端
２５  （他の外装材付き壁パネルの）防水透湿シート
２５ａ  （他の外装材付き壁パネルの）防水透湿シートの延出部分
３ａ  構造材（上階側半胴差し）
３ｂ  構造材（下階側半胴差し）
４    水切り
４１  固定部
４２  水切部
【図１】
0003930728.tif 000002
【図２】
0003930728.tif 000003
【図３】
0003930728.tif 000004